(57)【要約】【課題】浴槽残湯からのより有効な熱回収を可能とする給湯装置を提供する。【解決手段】給湯装置において、ユーザが制御手段６０、６１に対して風呂熱回収運転を行わせるための実行信号を入力可能とする入力部６２と、低温湯の温度を検出する低温湯温検出手段７１と、温調湯の温度を検出する温調湯温検出手段７２とを設け、制御手段６０、６１は、ユーザによって入力部６２に実行信号が入力されると、風呂自動運転を終了した直後で、かつ低温湯温検出手段７１によって検出される低温湯の温度が温調湯温検出手段７２によって検出される温調湯の温度よりも低い場合に風呂熱回収運転を実行するようにする。【選択図】図１
2009192107.tif 000002
【特許請求の範囲】
【請求項１】
補充される給湯水を下部側に貯めると共に、前記給湯水が加熱手段（２０）によって高温湯として生成されて、この高温湯を上部側に貯める蓄熱タンク（１０）と、
前記蓄熱タンク（１０）の前記上部側から流出されてユーザが設定する設定温度に温調された温調湯を貯める浴槽（３０）と、
前記温調湯を前記高温湯によって加熱する加熱用熱交換器（４０）と、
前記温調湯の熱を前記蓄熱タンク（１０）下部に前記給湯水が補充された低温湯に回収して前記低温湯を加熱する熱回収用熱交換器（５０）と、
前記浴槽（３０）に貯められた前記温調湯の温度をユーザが設定する設定時間の間、前記加熱用熱交換器（４０）を用いて前記設定温度に保持する風呂自動運転と、前記低温湯を前記温調湯および前記熱回収用熱交換器（５０）を用いて加熱する風呂熱回収運転とを実行する制御手段（６０、６１）とを備える給湯装置において、
前記ユーザが前記制御手段（６０、６１）に対して前記風呂熱回収運転を行わせるための実行信号を入力可能とする入力部（６２）と、
前記低温湯の温度を検出するタンク下部温検出手段（７１）と、
前記温調湯の温度を検出する温調湯温検出手段（７２）とを設け、
前記制御手段（６０、６１）は、前記ユーザによって前記入力部（６２）に前記実行信号が入力されると、前記風呂自動運転を終了した直後で、かつ前記タンク下部温検出手段（７１）によって検出される前記低温湯の温度が前記温調湯温検出手段（７２）によって検出される前記温調湯の温度よりも低い場合に前記風呂熱回収運転を実行することを特徴とする給湯装置。
【請求項２】
前記温調湯が前記浴槽（３０）から前記熱回収用熱交換器（５０）を通り再び前記浴槽（３０）に戻るように循環する熱回収用循環路（５１、５２）と、
前記熱回収用循環路（５１、５２）において前記熱回収用熱交換器（５０）をバイパスするバイパス通路（５４）と、
前記熱回収用循環路（５１、５２）と前記バイパス通路（５４）との分岐点に配設されて、前記温調湯の流れを前記熱回収用熱交換器（５１、５２）側、あるいは前記バイパス通路（５４）側に切換える切換え手段（５５）とを備えており、
前記温調湯温検出手段（７２）は、前記熱回収用循環路（５１、５２）において前記バイパス通路（５４）を含む前記浴槽（３０）側に配設されており、
前記制御手段（６０、６１）は、前記温調湯温検出手段（７２）による前記温調湯の温度検出をする際に、前記切換え手段（５５）を操作して、前記温調湯が前記バイパス通路（５４）側を流れるようにすることを特徴とする請求項１に記載の給湯装置。
【請求項３】
前記制御手段（６０、６１）は、計時用の計時手段（Ｓ２５０、Ｓ２６０）を備えると共に、
前記風呂自動運転が終了した後で予め定められた所定時間を前記計時手段（Ｓ２５０、Ｓ２６０）によって計時した後に、前記低温湯の温度が前記温調湯の温度よりも低いことを確認して前記風呂熱回収運転を実行することを特徴とする請求項１または請求項２に記載の給湯装置。
【請求項４】
前記ユーザに対して、前記制御手段（６０、６１）が実行する前記風呂熱回収運転に関連する表示を行う表示手段（６３）を備えることを特徴とする請求項１〜請求項３のいずれか１つに記載の給湯装置。
【発明の詳細な説明】
【技術分野】
【０００１】
本発明は、加熱した湯を貯める蓄熱タンクを備え、自動で蓄熱タンクから浴槽への湯張り、湯張り状態保持、更には浴槽残湯による蓄熱タンクへの熱回収を可能とする給湯装置に関するものである。
【背景技術】
【０００２】
従来の給湯装置として、例えば特許文献１に示されるように、加熱手段によって加熱した湯を蓄熱タンク内に貯めて、この湯を浴槽に給湯する給湯運転（湯張り）を行うと共に、浴槽の湯が冷めると蓄熱タンク内の上部の高温の湯によって浴槽湯を加熱する浴槽加熱運転を行い、更に、浴槽残湯によって蓄熱タンク内の下部の水を加熱させて、浴槽残湯の熱を蓄熱タンクの水に回収する風呂熱回収運転を行うものが知られている。
ている。
【特許文献１】特開２００２−１９５６５１号公報
【発明の開示】
【発明が解決しようとする課題】
【０００３】
しかしながら、上記特許文献１の技術においては、風呂熱回収運転は、「入浴が済み浴槽内に不要となった湯が残っている場合」の運転である旨が記載されているのみで、詳細なタイミング、運転条件等の記載は一切ない。例えば、複数のユーザが入浴する場合には最後のユーザの入浴時間が遅れたりした場合等は浴槽の湯が冷めてしまう。また、最後のユーザが風呂熱回収の実行を指示して行なう事も考えられるが、いずれにしても使用勝手上問題があった。また使用勝手を向上させる為にユーザが必ず入浴が終了する時間帯（例えば朝方4：00頃）に風呂熱回収を実行するようにした場合等は、浴槽の湯温が低下してしまい、有効な熱回収ができるものとは言えなかった。
【０００４】
本発明の目的は、上記問題に鑑み、浴槽残湯からのより有効な熱回収を可能とする給湯装置を提供することにある。
【課題を解決するための手段】
【０００５】
本発明は上記目的を達成するために、以下の技術的手段を採用する。
【０００６】
請求項１に記載の発明では、
補充される給湯水を下部側に貯めると共に、給湯水が加熱手段（２０）によって高温湯として生成されて、この高温湯を上部側に貯める蓄熱タンク（１０）と、
蓄熱タンク（１０）の上部側から流出されてユーザが設定する設定温度に温調された温調湯を貯める浴槽（３０）と、
温調湯を高温湯によって加熱する加熱用熱交換器（４０）と、
温調湯の熱を蓄熱タンク（１０）下部に給湯水が補充された低温湯に回収して低温湯を加熱する熱回収用熱交換器（５０）と、
浴槽（３０）に貯められた温調湯の温度をユーザが設定する設定時間の間、加熱用熱交換器（４０）を用いて設定温度に保持する風呂自動運転と、低温湯を温調湯および熱回収用熱交換器（５０）を用いて加熱する風呂熱回収運転とを実行する制御手段（６０、６１）とを備える給湯装置において、
ユーザが制御手段（６０、６１）に対して風呂熱回収運転を行わせるための実行信号を入力可能とする入力部（６２）と、
低温湯の温度を検出するタンク下部温検出手段（７１）と、
温調湯の温度を検出する温調湯温検出手段（７２）とを設け、
制御手段（６０、６１）は、ユーザによって入力部（６２）に実行信号が入力されると、風呂自動運転を終了した直後で、かつタンク下部温検出手段（７１）によって検出される低温湯の温度が温調湯温検出手段（７２）によって検出される温調湯の温度よりも低い場合に風呂熱回収運転を実行することを特徴としている。
【０００７】
これにより、ユーザによって入力部（６２）に風呂熱回収運転を実行するための実行信号が入力されることで、ユーザの意思を反映した風呂熱回収運転が可能となる。また、風呂自動運転終了直後に風呂熱回収運転を実行するようにしているので、浴槽（３０）内の温調湯の温度が無駄に低下してしまうことを防止して、有効な熱回収が可能となる。そして、低温湯と温調湯との温度差を確認して風呂熱回収運転を実行するようにしているので確実な熱回収を行うことができる。
【０００８】
請求項２に記載の発明では、
温調湯が浴槽（３０）から熱回収用熱交換器（５０）を通り再び浴槽（３０）に戻るように循環する熱回収用循環路（５１、５２）と、
熱回収用循環路（５１、５２）において熱回収用熱交換器（５０）をバイパスするバイパス通路（５４）と、
熱回収用循環路（５１、５２）とバイパス通路（５４）との分岐点に配設されて、温調湯の流れを熱回収用熱交換器（５１、５２）側、あるいはバイパス通路（５４）側に切換える切換え手段（５５）とを備えており、
温調湯温検出手段（７２）は、熱回収用循環路（５１、５２）においてバイパス通路（５４）を含む浴槽（３０）側に配設されており、
制御手段（６０、６１）は、温調湯温検出手段（７２）による温調湯の温度検出をする際に、切換え手段（５５）を操作して、温調湯がバイパス通路（５４）側を流れるようにすることを特徴としている。
【０００９】
これにより、温調湯を循環させる距離をバイパス通路（５４）によって短くすることができるので、短時間でかつ正確な温調湯の温度検出が可能となる。また、浴槽（３０）内の温調湯が、タンク下部温度よりも低い場合には、蓄熱タンク（１０）からの熱を無駄に浴槽へ流出する事を事前に防止できるため、無駄な熱ロスが発生する事がなくなる。
【００１０】
請求項３に記載の発明では、
制御手段（６０、６１）は、計時用の計時手段（Ｓ２５０、Ｓ２６０）を備えると共に、
風呂自動運転が設定時間の途中でユーザによって解除された場合または風呂自動が終了した後で予め定められた所定時間を計時手段（Ｓ２５０、Ｓ２６０）によって計時した後に、低温湯の温度が温調湯の温度よりも低いことを確認して風呂熱回収運転を実行することを特徴としている。
【００１１】
これにより、例えば誤ってユーザが風呂自動運転を解除してしまっても、その時点から所定時間の間は、風呂熱回収運転が実行されないので、ユーザが風呂自動運転の使用中に、温調湯の温度が風呂熱回収運転によって低下してしまうことを防止できる。
【００１２】
請求項４に記載の発明では、
ユーザに対して、制御手段（６０、６１）が実行する風呂熱回収運転に関連する表示を行う表示手段（６３）を備えることを特徴としている。
【００１３】
これにより、ユーザは、風呂熱回収運転状態にあることを明確に認識することができる。
【００１４】
尚、上記各手段に付した括弧内の符号は、後述する実施形態記載の具体的手段との対応関係を示す一例である。
【発明を実施するための最良の形態】
【００１５】
（第１実施形態）
以下、本発明の第１実施形態おける給湯装置について図１、図２を用いて説明する。尚、図１はヒートポンプユニット２０を用いたヒートポンプ式給湯装置１００Ａの全体構成を示す模式図、図２は制御装置６０が行う風呂熱回収運転時の制御処理を示すフローチャートである。
【００１６】
本実施形態のヒートポンプ式給湯装置（以下、給湯装置）１００Ａは、一般家庭用として使用されるものであり、ヒートポンプユニット２０によって生成される湯を蓄熱タンク１０内に貯えると共に（沸き上げ運転）、貯えられた湯を給湯用の湯として、台所、洗面所、風呂等へ供給する。更に、本給湯装置１００Ａは、上記給湯機能の他に、湯張りされた浴槽３０内の浴水の水位、温度を保持すると共に（風呂自動運転）、入浴後の浴水による蓄熱タンク３０内下部の低温湯への熱回収（風呂熱回収運転）を行う機能も有している。
【００１７】
図１に示すように、給湯装置１００Ａは、蓄熱タンク１０、各種給湯用配管１３、１５、１６、加熱手段としてのヒートポンプユニット２０、浴槽３０、加熱用熱交換器４０、熱回収用熱交換器５０、制御手段６０、６１、温度検出手段としての各サーミスタ７１、７２等を備えている。
【００１８】
蓄熱タンク１０は、給湯用の湯を貯える容器であって、耐食性に優れた金属から成り（例えば、ステンレス製）、外周部に図示しない断熱材が配置されており、高温の湯を長時間に渡って保温することができるようになっている。
【００１９】
また、蓄熱タンク１０は縦長形状であり、その底面に導入口１０ａが設けられ、この導入口１０ａには蓄熱タンク１０内に給湯水（水道水）を供給する導入用流路としての導入管１１が接続されている。一方、蓄熱タンク１０の最上部には導出口１０ｂが設けられ、この導出口１０ｂには蓄熱タンク１０内に貯えられた高温の湯を導出するための給湯用流路としての高温取出し管１３が接続されている。
【００２０】
蓄熱タンク１０の下部には、蓄熱タンク１０内の最下部の給湯水を後述するヒートポンプユニット２０側に吐出するための吐出口１０ｃが設けられ、また、蓄熱タンク１０の上部には、ヒートポンプユニット２０側から吐出された湯が内部に流入するための吸入口１０ｄが設けられている。吐出口１０ｃと吸入口１０ｄとは循環回路２１で接続されているおり、この循環回路２１の一部はヒートポンプユニット２０内に配置されている。
【００２１】
蓄熱タンク１０の下側部には、給湯水（低温湯）の温度を検出するためのタンク下部温検出手段としてのタンク下部サーミスタ７１が設けられており、タンク下部サーミスタ７１は検出した蓄熱タンク１０内の給湯水（低温湯）の温度信号を後述する制御装置６０に出力するようになっている。
【００２２】
ヒートポンプユニット２０は、冷媒として臨界温度の低い二酸化炭素（ＣＯ２）を使用するヒートポンプサイクルと、循環回路２１中に設置された給水ポンプ２２とを備えている。尚、超臨界ヒートポンプによれば、一般的なヒートポンプサイクルよりも高温（例えば、８５℃〜９０℃程度）の湯を蓄熱タンク１０内に貯えることができる。
【００２３】
ヒートポンプサイクルは、図示しない電動式の圧縮機、水冷媒熱交換器、電気式膨張弁、空気熱交換器、およびアキュムレータが順次冷媒配管によって接続されて構成されており、その作動は図示しない制御装置によって制御されるようになっている。
【００２４】
水冷媒熱交換器は、冷媒が流通する冷媒通路と、給湯水が流通する水通路とを備えており、圧縮機の吐出口より吐出されて冷媒通路を流通する高温・高圧の冷媒によって、水通路を流通する給湯水を加熱して湯の沸き上げを行うようになっている。
【００２５】
循環回路２１の吐出口１０ｃとヒートポンプユニット２０（水側熱交換器）との間には、給水ポンプ２２が配設されている。給水ポンプ２２は、内蔵される図示しない電動モータによって回転駆動されて、高温湯の沸き上げ運転時に、給湯水を吐出口１０ｃから吐出させて、水側熱交換器内で加熱された湯を蓄熱タンク１０の吸入口１０ｄに還流させるように作動する。この給水ポンプ２２は、水側熱交換器の出口側水温が、種々の運転条件下において決定される所定の目標沸き上げ温度となるように、図示しない制御装置によって回転数が制御される。
【００２６】
導入管１１には、導入口１０ａの手前部から分岐する給水管１２が設けられており、給水管１２の下流端は、後述する混合弁１４に繋がれている。尚、導入管１１には、導入される給湯水（水道水）の水圧が所定圧となるように調節すると共に、断水等における湯の逆流を防止する減圧逆止弁（図示せず）が設けられている。
【００２７】
高温取出し管１３と給水管１２との下流側合流部位に、混合弁１４が設けられている。この混合弁１４は、温度調節弁であって、高温側、低温側それぞれの開口面積比を調節して、高温取出し管１３から取出した高温の湯と、給水管１２から供給される給湯水との混合比を調節することで、混合弁１４よりも下流側に接続された給湯用配管１５、および風呂用配管１６に流通させる湯の温度をユーザが設定する設定温度に調節する。
【００２８】
給湯用配管１５は、下流端の端末としての給湯水栓（カラン、シャワー等）へ設定温度に温度調節された湯を導く配管である。また、風呂用配管１６は、下流端が浴槽３０の吸入口３１（アダプタ）に接続されて、浴槽３０内に湯張り、差し湯、たし湯等を行う時に、設定温度に温度調節された湯（温調湯）を導く配管である。図示はしないが浴槽３０の浴水が給湯用配管に逆流しないようなシスターンや湯張り、差し湯、たし湯を行なう際の電磁弁はこの風呂用配管１６内にある。
【００２９】
加熱用熱交換器４０は、浴槽３０内の浴水を蓄熱タンク１０内の高温湯によって加熱する熱交換器であり、蓄熱タンク１０内部の上部側に配設されている。加熱用熱交換器４０には、浴槽３０の吐出口３２（アダプタ）から加熱用熱交換器４０に接続される加熱用行き流路４１と、加熱用熱交換器４０から風呂用配管１６の途中部位（図１中のＡ点）に接続されて吸入口３１に繋がる加熱用戻り流路４２とが設けられている。
【００３０】
熱回収用熱交換器５０は、入浴後の浴槽３０内の浴水の熱を蓄熱タンク１０内下部の低温湯に回収する、つまり、浴水によって低温湯を加熱する熱交換器であり、蓄熱タンク１０内部の下部側に配設されている。熱回収用熱交換器５０には、吐出口３２から延びる加熱用行き流路４１の途中部位から分岐して熱回収用熱交換器５０に接続される熱回収用行き流路５１と、回収用熱交換器５０から加熱用戻り流路４２の途中部位（図１中のＢ点）に接続されて吸入口３１に繋がる熱回収用戻り流路５２とが設けられている。
【００３１】
加熱用行き流路４１における熱回収用行き流路５１の分岐点には、熱交換器用の切換えバルブ５３が設けられている。切換えバルブ５３は、加熱用熱交換器４０側となる加熱用行き流路４１、および熱回収用熱交換器５０側となる熱回収用行き流路５１の切換を行うバルブであり、後述する制御装置６０によってバルブ開度が制御されるようになっている。具体的には、切換えバルブ５３は、加熱用行き流路４１を開いて、熱回収用行き流路５１を閉じる加熱モードと、加熱用行き流路４１を閉じて、熱回収用行き流路５１を開く熱回収モードとを行うようになっている。
【００３２】
そして、加熱用行き流路４１の途中部位において、吐出口３２と切換えバルブ５３との間には、風呂ポンプ４３が設けられている。風呂ポンプ４３は浴槽３０内の浴水を加熱用熱交換器４０側、あるいは熱回収用熱交換器５０側に圧送する電動ポンプであり、後述する制御装置６０によってその作動が制御されるようになっている。
【００３３】
切換えバルブ５３が加熱モードに制御されると、加熱用行き流路４１と加熱用戻り流路４２とによって、浴槽３０内の浴水が加熱用熱交換器４０側を循環する加熱用循環路が形成される。また、切換えバルブ５３が熱回収モードに制御されると、加熱用行き流路４１の上流側と、熱回収用行き流路５１と、熱回収用戻り流路５２と、加熱用戻り流路４２の下流側とによって浴槽３０内の浴水が熱回収用熱交換器５０側を循環する熱回収用循環路が形成される。
【００３４】
加熱用行き流路４１において、風呂ポンプ４３と切換えバルブ５３との間には、浴水の温度を検出するための温調湯温検出手段としての風呂用サーミスタ７２が設けられている。浴槽３０内の浴水の温度を検出する時は、切換えバルブ５３を加熱モード、あるいは熱回収モードに切換えると共に、風呂ポンプ４３を作動させることで、浴槽３０内の浴水が加熱用循環路、あるいは熱回収用循環路で循環されて風呂用サーミスタ７２により浴水の温度が検出されるようになっている。風呂用サーミスタ７２は検出した浴槽３０内の浴水の温度信号を後述する制御装置６０に出力するようになっている。
【００３５】
次に、制御手段は制御装置６０と制御盤（リモコン）６１とを備えている。制御装置６０は、マイクロコンピュータを主体として構成され、内蔵されたＲＯＭ（図示せず）には、予め設定された制御プログラムが設けられており、各サーミスタ７１、７２からの温度信号、ユーザが入力する操作盤６１からの操作信号等に基づいて、混合弁１４、風呂ポンプ４３、切換えバルブ５３を制御するように構成されている。
【００３６】
尚、操作盤６１には、操作スイッチとして、給湯設定温度スイッチ、湯張りスイッチ、湯張り設定温度スイッチ、追い焚きスイッチ、風呂保温時間設定スイッチ、風呂熱回収スイッチ（入力部）６２等が設けられている。更に操作盤６１には、風呂熱回収運転に関連する表示を行う表示手段、具体的には風呂熱回収が運転状態であるか風呂熱回収中であるかを示すランプ６３が設けられている。また、操作盤６１は、浴室内や台所等の湯を使用する場所の近傍に設置され、操作盤６１以外は、蓄熱タンク１０に設置されている。
【００３７】
次に、上記構成による給湯装置１００Ａの作動について説明する。
【００３８】
１．沸き上げ運転
制御装置６０は深夜時間帯には、安価な深夜電力を用いヒートポンプユニット２０、給水ポンプ２２の作動指示をさせ、蓄熱タンク１０内の下部側の給湯水を循環回路２１に循環させ、ヒートポンプユニット２０で加熱して、生成された高温の湯を吸入口１０ｄから蓄熱タンク１０の上部側に貯めていく。
【００３９】
２．給湯運転、湯張り運転
昼間の台所や洗面所での湯の使用時、また風呂への湯張り時には、制御装置６０は、ユーザが操作盤６１の給湯設定温度スイッチ、湯張り設定温度スイッチから入力設定する設定温度と一致するように、混合弁１４の弁開度を調節して、蓄熱タンク１０の導出口１０ｂから取出される高温の湯と給水管１２から供給される給湯水とを混合して温度調節した湯として供給する。
【００４０】
３．風呂自動運転
制御装置６０は、浴槽３０内の浴水の温度低下に対しては、湯張り運転後の風呂保温設定時間範囲（ユーザが設定する時間であり、例えば４時間）において、浴水の温度を設定温度に保持する風呂自動運転を実施する。即ち、制御装置６０は、切換えバルブ５３を操作して、加熱用行き流路４１と熱回収用行き流路５１のうち、加熱用行き流路４１側を開き、風呂ポンプ４３を作動させ、加熱用循環路に浴水を循環させる。そして、風呂用サーミスタ７２が検出する浴水の温度が設定温度より低い場合には、制御装置６０は風呂ポンプ４３を継続作動させて、加熱用熱交換器４０によって浴水を加熱する。更に、風呂用サーミスタ７２が検出する浴水の温度が設定温度になると、制御装置６０は風呂ポンプ４３を停止させる。
【００４１】
４．風呂熱回収運転
ユーザが入浴した後には、制御装置６０は、浴槽３０内の浴水（残湯）を活用して蓄熱タンク１０への熱回収を行う。本発明においては、この風呂熱回収運転の制御要領に特徴を持たせており、以下、図２のフローチャートを用いて詳細に説明する。
【００４２】
制御装置６０は、まずステップＳ１００で、操作盤６１の風呂熱回収スイッチ６２からユーザによる風呂熱回収要求の入力がなされたか否かを判定する。否と判定した場合は、このステップＳ１００を繰り返し、肯定判定をした場合は、ステップＳ１１０に進む。
【００４３】
ステップＳ１１０では、現在、上記で説明した風呂自動運転中か否かを判定する。風呂自動運転中であれば、ステップＳ１００に戻り、ステップＳ１００、Ｓ１１０を繰り返す。この繰り返し判定の中で、風呂自動運転中でない、即ち、風呂自動運転が終わったと判定すると、ステップＳ１２０に移行する。
【００４４】
ステップＳ１２０では、まず操作盤６１におけるランプ６３を点灯させ、切換えバルブ５３を操作して熱回収用行き流路５１側を開き、風呂ポンプ４３を作動させる。すると、浴槽３０内の浴水は、熱回収用循環路を循環する。
【００４５】
この時、次のステップＳ１３０で、タンク下部サーミスタ７１によって検出される蓄熱タンク１０下部側の低温湯の温度と、風呂用サーミスタ７２によって検出される浴水の温度との比較を行い、低温湯温度が浴水温度よりも一定温度（α）以上低いと判定すると（ステップＳ１３０で否の判定）、ステップＳ１３０が繰り返し行われて、この間、ステップＳ１２０による浴水の熱回収用循環路での循環が継続される。即ち、低温湯温度は浴水温度より一定温度以上低いことから、熱回収用熱交換器５０によって浴水から低温湯に熱が伝達され、給湯水が加熱されることになる。
【００４６】
そして、ステップＳ１３０で、低温湯温度＋αが浴水温度以上となると、熱回収用熱交換器５０での熱伝達が不能となるため、ステップＳ１４０に移行して、風呂ポンプ４３を停止させ、切換えバルブ５３を操作して加熱用行き流路４１側を開き、ランプ６２を消灯状態にする。
【００４７】
以上のように、本実施形態においては、操作盤６１に風呂熱回収スイッチ６２を設け、ユーザが風呂熱回収要求の入力ができるようにしているので、ユーザの意思を反映した風呂熱回収運転が可能となる。また、風呂自動運転中であるか否かの判定ステップ（ステップＳ１１０）を設け、風呂自動運転が終了すると（終了直後に）、風呂熱回収運転（ステップＳ１２０）を自動的に実行するようにしているので、浴水の温度が無駄に低下してしまうことを防止して、有効な熱回収が可能となる。そして、低温湯と浴水との温度差を確認して（ステップＳ１３０）、風呂熱回収運転を実行するようにしているので確実な熱回収を行うことができる。
【００４８】
また、操作盤６１に表示手段としてのランプ６３を設け、風呂熱回収運転時に点灯させるようにしているので、ユーザは、風呂熱回収運転状態であることを明確に認識することができる。
【００４９】
（第２実施形態）
本発明の第２実施形態を図３、図４に示す。第２実施形態は、上記第１実施形態に対して、バイパス通路５４、切換えバルブ５５を追加したヒートポンプ式給湯装置１００Ｂとしており、更に風呂熱回収運転時の制御要領を変更したものとしている。
【００５０】
バイパス通路５４は、加熱用行き流路４１において、切換えバルブ５３と風呂用サーミスタ７２との間から分岐して、加熱用戻り流路４２の途中部位（図３中のＣ点）に接続される通路としている。即ち、切換えバルブ５３によって熱回収用循環路が形成される時に、浴水が熱回収用熱交換器５０をバイパスして流通可能となる通路となっている。風呂用サーミスタ７２は、熱回収用循環路において、バイパス通路５４を含む浴槽３０側に配設されていることになる。
【００５１】
切換えバルブ５５は、上記バイパス通路５４の分岐点に設けられたバイパス用の切換え手段である。切換えバルブ５５は、熱回収用熱交換器５０側となる加熱用行き流路４１（熱回収用行き流路５１側）、およびバイパス通路５４の切換を行うようになっており、後述する制御装置６０によってバルブ開度が制御されるようになっている。具体的には、切換えバルブ５５は、加熱用行き流路４１（熱回収行き流路５１側）を開いて、バイパス通路５４を閉じる熱回収モードと、加熱用行き流路４１を閉じて、バイパス通路５４を開く温度検出モードとを行うようになっている。
【００５２】
次に、風呂熱回収運転の制御内容について、図４のフローチャートを用いて詳細に説明する。
【００５３】
制御装置６０は、まずステップＳ２００で、操作盤６１の風呂熱回収スイッチ６２からユーザによる風呂熱回収要求の入力がなされたか否かを判定する。否と判定した場合は、ステップＳ２１０で、操作盤６１のランプ６３を消灯状態にしてステップＳ２００を繰り返し、肯定判定をした場合は、ステップＳ２２０に進む。
【００５４】
ステップＳ２２０では、風呂熱回収要求がなされていることから、ランプ６３を点灯状態（風呂熱回収運転に移行する段階表示）にする。
【００５５】
次に、ステップＳ２３０で、現在、追い焚きスイッチ、風呂保温時間設定スイッチ入力による風呂自動運転中か否かを判定する。風呂自動運転中であれば、ステップＳ２４０に進み、この風呂自動運転が風呂保温設定時間の経過を待たずに、解除されたか否かを判定する。否と判定するとステップＳ２４０を繰り返し、風呂自動運転が解除されたと判定すると、ステップＳ２５０でタイマーによる計時を開始する。そして、ステップＳ２６０で、予め定めた所定時間の計時が終了すると、ステップＳ２８０に移行する。上記ステップＳ２５０、ステップＳ２６０は、本発明における計時手段に対応する。
【００５６】
尚、所定時間の計時が終了するまでは、ステップＳ２７０で風呂自動運転入力が再びなされたか否かを判定し、肯定判定の場合はステップＳ２４０を繰り返し、否と判定した場合は、ステップＳ２６０を繰り返す。
【００５７】
ステップＳ２８０では、切換えバルブ５５を操作してバイパス通路５４側が開くようにして（温度検出モード）、風呂ポンプ４３を作動させる。すると、浴槽３０内の浴水は、浴槽３０→加熱用行き流路４１→切換えバルブ５５→バイパス通路５４→加熱用戻り流路４２（Ｃ〜Ａ）→風呂用配管１６→浴槽３０を循環する。
【００５８】
そして、ステップＳ２９０で、タンク下部サーミスタ７１によって検出される蓄熱タンク１０下部側の低温湯温度と、風呂用サーミスタ７２によって検出される浴水温度とを比較して、浴水による熱回収が可能か否かを判定する。ここでは、安全を見て、低温湯温度＋αとして、浴水温度と比較するようにしている。通常はサーミスタの公差分の２℃程度としている。ステップＳ２９０で、低温湯温度＋αは浴水温度以下であると判定すると、ステップＳ３００で、浴水からの熱回収を行う。
【００５９】
即ち、ステップＳ３００では、まず切換えバルブ５５を操作して加熱用行き流路４１（熱回収用行き流路５１）側を開き（熱回収モード）、また、切換えバルブ５３を操作して熱回収用行き流路５１側を開く（熱回収モード）。そして、操作盤６１におけるランプ６３を点滅させる。すると、浴槽３０内の浴水は、熱回収用循環路を循環する。
【００６０】
この時、次のステップＳ３１０で、タンク下部サーミスタ７１による低温湯の温度＋βと、風呂用サーミスタ７２による浴水の温度との比較を行い、低温湯温度が浴水温度よりも一定温度（β）以上（β：蓄熱タンク１０下部の低温湯温度と浴水温度の温度差が小さくなると熱回収用熱交換器５０の性能にて熱交換されなくなる為、風呂ポンプ４３の消費電力を加味し一定値で風呂熱回収を停止した方が省エネとなる。今回は通常使用する熱回収用熱交換器５０に合わせ５℃としている）低いと判定すると（ステップＳ３１０で否の判定）、ステップＳ３１０が繰り返し行われて、この間、ステップＳ３００による浴水の熱回収用循環路での循環が継続される。即ち、熱回収用熱交換器５０によって浴水から低温湯に熱が伝達され、低温湯が加熱されることになる。
【００６１】
そして、ステップＳ３１０で、低温湯温度＋βが浴水温度以上となると、熱回収用熱交換器５０での熱伝達が不能となるため、ステップＳ３２０に移行して、風呂ポンプ４３を停止させ、切換えバルブ５３を操作して加熱用行き流路４１側を開き（加熱モード）、ランプ６２を消灯状態にする。
【００６２】
尚、ステップＳ２３０で風呂自動運転中でない、即ち、風呂自動運転が通常通り終わったと判定すると、ステップＳ３３０に移行して、上記第１実施形態と同様に浴水からの熱回収を行う。
【００６３】
即ち、ステップＳ３３０では、ステップＳ２８０と同様に、切換えバルブ５５を操作してバイパス通路５４側が開くようにして（温度検出モード）、風呂ポンプ４３を作動させる。すると、浴槽３０内の浴水は、浴槽３０→加熱用行き流路４１→切換えバルブ５５→バイパス通路５４→加熱用戻り流路４２（Ｃ〜Ａ）→風呂用配管１６→浴槽３０を循環する。
【００６４】
そして、ステップＳ３４０で、蓄熱タンク１０下部側の低温湯温度と浴水温度とを比較して、浴水による熱回収が可能か否かを判定する。ことでは、安全を見て、低温湯温度＋２℃として、浴水温度と比較するようにしている。ステップＳ３４０で、低温湯温度＋２℃は浴水温度以下であると判定すると、ステップＳ３００に移行して、浴水からの熱回収を行う。
【００６５】
また、ステップＳ３４０で、否と判定すると、低温湯温度が浴水温度以上となっており、熱回収用熱交換器５０での熱伝達が不能となるため、ステップＳ３５０に移行して、風呂ポンプ４３を停止させ、ステップＳ２３０を繰り返す。
【００６６】
以上のように本実施形態では、浴水の温度検出に当たって、熱交換用循環路にバイパス通路５４を設けて、浴水を循環させるようにしているので、浴水を循環させる距離をバイパス通路５４によって短くすることができ、短時間でかつ正確な浴水の温度検出が可能となる。
【００６７】
そして、風呂自動運転が設定時間経過しないうちに、解除された場合は、計時手段（ステップＳ２５０、Ｓ２６０）によって所定時間を計時した後にステップＳ２８０以降の熱回収を行うようにしているので、例えば誤ってユーザが風呂自動運転を解除してしまっても、その時点から所定時間の間は、風呂熱回収運転が実行されないため、ユーザが風呂自動運転の使用中に、浴水温度が風呂熱回収運転によって低下してしまうことを防止できる。
【００６８】
尚、本実施形態では、操作盤６１のランプ６３による表示を風呂自動運転から風呂熱回収運転に移行する段階であることを点灯状態で表示し（第１表示）、風呂熱回収運転を実行している段階であることを点滅状態で表示しており（第２表示）、ユーザに対してより解りやすいものとしている。
【００６９】
（他の実施形態）
上記第１、第２実施形態では給湯水の加熱手段としてヒートポンプユニット２０を用いたものとして説明したが、これに限らず、電気式のヒータ等に置き換えたものとして良い。
【００７０】
また、加熱用熱交換器４０、熱回収用熱交換器５０は、蓄熱タンク１０内に配設されるものとして説明したが、これに限らず、蓄熱タンク１０の外部に配設されるものとしても良い。
【図面の簡単な説明】
【００７１】
【図１】第１実施形態におけるヒートポンプ式給湯装置の概略構成を示す模式図である。
【図２】第１実施形態における制御装置が風呂熱回収運転時に実行する制御処理を示すフローチャートである。
【図３】第２実施形態におけるヒートポンプ式給湯装置の概略構成を示す模式図である。
【図４】第２実施形態における制御装置が風呂熱回収運転時に実行する制御処理を示すフローチャートである。
【符号の説明】
【００７２】
１０  蓄熱タンク
２０  ヒートポンプユニット（加熱手段）
３０  浴槽
４０  加熱用熱交換器
５０  熱回収用熱交換器
５１  熱回収用行き流路（熱回収用循環路）
５２  熱回収用戻り流路（熱回収用循環路）
５４  バイパス通路
５５  切換えバルブ（切換え手段）
６０  制御装置（制御手段）
６１  操作盤（制御手段）
６２  風呂熱回収スイッチ（入力部）
６３  ランプ（表示部）
７１  タンク下部サーミスタ（給湯水温検出手段）
７２  風呂用サーミスタ（温調湯温検出手段）
１００Ａ、１００Ｂ  ヒートポンプ式給湯装置
【図１】
2009192107.tif 000003
【図２】
2009192107.tif 000004
【図３】
2009192107.tif 000005
【図４】
2009192107.tif 000006